(57)【要約】      （修正有）【課題】直接見えない、または貼りにくい部位のコリ部位に正確に貼ることのできる、貼付用治療器及び貼付用治療器の貼付補助具を提供する。【解決手段】貼付物１を、左右から折り返し取手部３、手の指に保持できるような輪状の指差しこみ部４、台紙の両端部を指差しこみ部内側に折り返した折り返し部５を設けた台紙２で、他の指で台紙をつまみ上げることに連動して貼付物から剥離可能な剥離手段を備えたことを特徴とする。【選択図】    図１
2004283535.tif 000002
【特許請求の範囲】
【請求項１】
手の指に保持できるように輪状の指差込部を形成可能な台紙と、この台紙の両端部を指差込部内側に折り返した折り返し部とからなる貼付用治療器の貼付補助具であって、前記折り返し部は、市販の磁気治療器等の貼付物を、前記折り返し部を近接し両面にまたがるように貼付けた後、前記指差込部に差し込んだ指で前記貼付物を人体の適宜部位に押し当てた状態で、他の指で前記台紙をつまみ上げることに連動して貼付物から剥離可能な剥離手段を備えたことを特徴とする貼付用治療器の貼付補助具。
【請求項２】
手の指に保持できるように輪状の指差込部を形成してなる台紙と、この台紙の両端部を内側に折り返して近接する折り返し部と、この折り返し部両面にまたがるように貼付けられた貼付手段を有する磁気治療器等の貼付物とからなる貼付用治療器であって、前記折り返し部は、前記指差込部に差し込んだ指で前記治療器を人体の適宜部位に押し当てた状態で、他の指で前記台紙をつまみ上げることに連動して前記貼付物から剥離可能な剥離手段を備えたことを特徴とする貼付用治療器。
【請求項３】
１端に手の指に保持するための輪状の指差込部と、他端を上部に折り返した折り返し部とを形成する１対の台紙を、両端に指差込部が配置するように左右対称に近接し、この折り返し部両面にまたがるように貼付けられた貼付手段を有する磁気治療器等の貼付物とからなる貼付用治療器であって、前記折り返し部は、前記貼付物を人体の適宜部位に人差し指または中指で押し当てた状態で、前記指差込部のそれぞれに差し込んだ左右の指の間隔を広げることに連動して前記貼付物から剥離可能な剥離手段を備えたことを特徴とする貼付用治療器。
【請求項４】
手の指に保持するための輪状の指差込部を形成してなる１対の台紙を、左右対称に近接し、この上部両面にまたがるように貼付けられた貼付手段を有する磁気治療器等の貼付物とからなる貼付用治療器であって、前記台紙は、前記貼付物を人体の適宜部位に人差し指または中指で押し当てた状態で、前記指差込部のそれぞれに差し込んだ左右の指の間隔を広げることに連動して前記貼付物から剥離可能な剥離手段を備えたことを特徴とする貼付用治療器。
【発明の詳細な説明】
【０００１】
【発明の属する技術分野】
この発明は、直接見えない、または貼りにくい部位に、正確に貼ることができる様にした、貼付用治療器、またはその貼付補助具に関するものである。
【０００２】
【従来の技術】
従来、直接見えない場所に貼付物を貼る場合は、貼付物を貼りたい部位を指で探しながらも、台紙から貼付物を両手で剥がして貼っていた。
【０００３】
【発明が解決しようとする課題】
これには次のような欠点があった。
イ．貼りたいところを指で探しても、台紙から貼付物を剥がす時には両手が必要なため、貼付物を貼るときには、貼りたい部位が解らなくなる。
ロ．正確に貼るためには、他人に貼ってもらうか、鏡を見ながら貼る方法しかなかった。
ハ．貼る時に、貼付物同士が張り付いてしまう。
本発明は、以上の欠点を解決するためになされたものである。
【０００４】
【課題を解決するための手段】
上記目的を達成するために、本発明は手の指に保持できるように輪状の指差込部を形成可能な台紙と、この台紙の両端部を指差込部内側に折り返した折り返し部とからなる貼付用治療器の貼付補助具であって、前記折り返し部は、市販の磁気治療器等の貼付物を、前記折り返し部を近接し両面にまたがるように貼付けた後、前記指差込部に差し込んだ指で前記貼付物を人体の適宜部位に押し当てた状態で、他の指で前記台紙をつまみ上げることに連動して貼付物から剥離可能な剥離手段を備えた貼付用治療器の貼付補助具を構成している。
また、本発明は手の指に保持できるように輪状の指差込部を形成してなる台紙と、この台紙の両端部を内側に折り返して近接する折り返し部と、この折り返し部両面にまたがるように貼付けられた貼付手段を有する磁気治療器等の貼付物とからなる貼付用治療器であって、前記折り返し部は、前記指差込部に差し込んだ指で前記治療器を人体の適宜部位に押し当てた状態で、他の指で前記台紙をつまみ上げることに連動して前記貼付物から剥離可能な剥離手段を備えた貼付用治療器を構成している。
【０００５】
【発明の実施の形態】
以下、図面に示す実施の形態により、本発明を詳細に説明する。
はじめに図１に示す本発明の第１の実施の形態について説明する。
指差し込み部（４）の内側を左右から折り返し、折り返し部（５）、を設けまた指差しこみ部の上部に取手部（３）を設けた台紙（２）からなる貼付用治療器の貼付補助具。
第１の実施の形態は、以上の構成によりなっている。
第１の実施の形態を使用するときは、
図２にあるように、左右の折り返し部（５）に両方にまたがるように、貼付用治療器（１）を貼り、図４にあるように指差しこみ部（４）に人差し指を通し、貼付物（１）を貼りたい部位をさがし、貼りたい場所が決まったら、人差し指で、貼付物（１）を押さえ、反対の手で、取手部（３）をつまみ、上へ引き抜くだけで、正確に貼りたいところに貼ることができる。また台紙（２）は中心部から剥されるため、貼付物（１）同士が張り付くことを避けられる。
第２の実施の形態を説明する。
図５にあるように、左右から折り返し、取手部（３ａ）、指差し込み部（４ａ）、折り返し部（５ａ）、を設けた台紙（２ａ）の、支持穴（６ａ）に、治療用貼付物（１ａ）の中心が通るように貼り付ける。
第２の実施の形態は、以上の構成によりなっている。
第２の実施の形態を使用するときは、
図８にあるように指差しこみ部（４ａ）に人差し指を通し、貼付物（１ａ）を貼りたい部位をさがし、貼りたい場所が決まったら、人差し指で、貼付物（１ａ）を押さえ、反対の手で、取手部（３ａ）をつまみ、上へ引き抜くだけで、正確に貼りたいところに貼ることができる。
人差し指で押さえた貼付物は、支持穴（６ａ）があるため留まり、台紙（２ａ）が折り返し部（５ａ）より引き抜かれる仕組みになっている。
また台紙（２ａ）は中心部から剥されるため、貼付物（１ａ）同士が張り付くことを避けられる。
貼付物が大きいものの場合は、図２９にあるように複数の指で貼付物（１ｇ）を押さえ、反対の手で、取手部（３ｇ）をつまみ、上へ引き抜く。
第３の実施の形態を説明する。
図９にあるように、左右から折り返し、取手部（３ｂ）、指差し込み部（４ｂ）、折り返し部（５ｂ）、を設けた台紙（２ｂ）の、支持穴（６ｂ）に、貼付物（１ｂ）の中心が通るように貼り付ける。
第３の実施の形態は、以上の構成によりなっている。
第３の実施の形態を使用するときは、
図１２にあるように指差しこみ部（４ｂ）に人差し指を通し、貼付物（１ｂ）を貼りたい部位をさがし、貼りたい場所が決まったら、人差し指で、貼付物（１ｂ）を押さえ、反対の手で、取手部（３ｂ）をつまみ、上へ引き抜くだけで、正確に貼りたいところに貼ることができる。
人差し指で押さえた貼付物は、支持穴（６ｂ）があるため留まり、台紙（２ｂ）が折り返し部（５ｂ）より引き抜かれる仕組みになっている。
また台紙（２ｂ）は左右に剥されるため、貼付物（１ｂ）同士が張り付くことを避けられる。
第４の実施の形態を説明する。
図１３にあるように左右から折り返し、取手部（３ｃ）、指差し込み部（４ｃ）、折り返し部（５ｃ）を設けた台紙（２ｃ）に、貼付物（１ｃ）を貼り付ける。
第４の実施の形態は、以上の構成によりなっている。
第４の実施の形態を使用するときは、
図１６にあるように指差しこみ部（４ｃ）に人差し指を通し、貼付物（１ｃ）を貼りたい部位をさがし、貼りたい場所が決まったら、人差し指で、貼付物（１ｃ）を押さえ、反対の手で、取手部（３ｃ）をつまみ、上へ引き抜くだけで、正確に貼りたいところに貼ることができる。
また台紙（２ｃ）は左右の台紙の折り返し部（５ｃ）が隣接する中心部から剥されるため、貼付物（１ｃ）同士が張り付くことを避けられる。
第５の実施の形態を説明する。
図１７にあるように左右から折り返し、取手部（３ｄ）、指差し込み部（４ｄ）、折り返し部（５ｄ）を設けた台紙（２ｄ）に、貼付物（１ｄ）を貼り付ける。
第５の実施の形態は、以上の構成によりなっている。
第５の実施の形態を使用するときは、
図２０にあるように指差しこみ部（４ｄ）に人差し指を通し、貼付物（１ｄ）を貼りたい部位をさがし、貼りたい場所が決まったら、人差し指で、貼付物（１ｄ）を押さえ、反対の手で、取手部（３ｄ）をつまみ、上へ引き抜くだけで、正確に貼りたいところに貼ることができる。
また台紙（２ｄ）は折り返し部（５ｄ）より左右に剥されるため、貼付物（１ｄ）同士が張り付くことを避けられる。
第６の実施の形態を説明する。
図２１にあるように両端に輪状の指差し込み部（４ｅ）と他端に折り返し部（３ｅ）を設けた１対の台紙（２ｅ）に、貼付物（１ｅ）を貼り付ける
第６の実施の形態は、以上の構成によりなっている。
第６の実施の形態を使用するときは、
図２４にあるように貼付物（１ｅ）の上に人差し指または中指を置き、２つの指差しこみ部（４ｅ）に左右の指をそれぞれ通し、貼付物（１ｅ）を貼りたい部位をさがし、貼りたい場所が決まったら、人差し指または中指で、貼付物（１ｅ）を押さえ、指差しこみ部（４ｅ）に通した２本の指を、上または左右へ引き抜くだけで、正確に貼りたいところに貼ることができる。
また台紙（２ｅ）は折り返し部（３ｅ）より左右に剥されるため、貼付物（１ｅ）同士が張り付くことを避けられる。
第７の実施の形態を説明する。
図２５にあるように輪状の指差し込み部（４ｆ）と折り返し部（３ｆ）を設けた１対の台紙（２ｆ）に、貼付物（１ｆ）を貼り付ける
第７の実施の形態は、以上の構成によりなっている。
第７の実施の形態を使用するときは、
図２８にあるように貼付物（１ｆ）の上に人差し指または中指を置き、２つの指差しこみ部（４ｆ）に左右の指をそれぞれ通し、貼付物（１ｆ）を貼りたい部位をさがし、貼りたい場所が決まったら、人差し指または中指で、貼付物（１ｆ）を押さえ、指差しこみ部（４ｆ）に通した２本の指を、上または左右へ引き抜くだけで、正確に貼りたいところに貼ることができる。
また台紙（２ｆ）は左右に剥されるため、貼付物（１ｆ）同士が張り付くことを避けられる。
貼付物の具体例は、磁器治療器、針治療器、湿布、ばんそう膏などである。
【０００６】
【発明の効果】
本発明を使用することによって、貼付物を貼りたい部位を探しながら正確に貼ることができるので、これまでの苦痛を解決する。また、貼付物同士を張り付かせ、粘着力を低下させることもない。
【図面の簡単な説明】
【図１】第１の実施の形態の斜視図
【図２】第１の実施の形態の分解斜視図
【図３】第１の実施の形態の使用状態を示す側面図
【図４】第１の実施の形態の使用状態を示す斜視図
【図５】第２の実施の形態の斜視図
【図６】第２の実施の形態の分解斜視図
【図７】第２の実施の形態の使用状態を示す側面図
【図８】第２の実施の形態の使用状態を示す斜視図
【図９】第３の実施の形態の斜視図
【図１０】第３の実施の形態の分解斜視図
【図１１】第３の実施の形態の使用状態を示す側面図
【図１２】第３の実施の形態の使用状態を示す斜視図
【図１３】第４の実施の形態の斜視図
【図１４】第４の実施の形態の分解斜視図
【図１５】第４の実施の形態の使用状態を示す側面図
【図１６】第４の実施の形態の使用状態を示す斜視図
【図１７】第５の実施の形態の斜視図
【図１８】第５の実施の形態の分解斜視図
【図１９】第５の実施の形態の使用状態を示す側面図
【図２０】第５の実施の形態の使用状態を示す斜視図
【図２１】第６の実施の形態の斜視図
【図２２】第６の実施の形態の分解斜視図
【図２３】第６の実施の形態の使用状態を示す側面図
【図２４】第６の実施の形態の使用状態を示す斜視図
【図２５】第７の実施の形態の斜視図
【図２６】第７の実施の形態の分解斜視図
【図２７】第７の実施の形態の使用状態を示す側面図
【図２８】第７の実施の形態の使用状態を示す斜視図
【図２９】第１の実施の形態の貼付物が大きい場合の使用状態を示す側面図
【符号の説明】
１  貼付物
２  台紙
３  取手部
４  指差しこみ部
５  折り返し部
６  人差し指の断面
１ａ  貼付物
２ａ  台紙
３ａ  取手部
４ａ  指差しこみ部
５ａ  折り返し部
６ａ  支持穴
７ａ  人差し指の断面
１ｂ  貼付物
２ｂ  台紙
３ｂ  取手部
４ｂ  指差しこみ部
５ｂ  折り返し部
６ｂ  支持穴
７ｂ  人差し指の断面
１ｃ  貼付物
２ｃ  台紙
３ｃ  取手部
４ｃ  指差しこみ部
５ｃ  折り返し部
６ｃ  人差し指の断面
１ｄ  貼付物
２ｄ  台紙
３ｄ  取手部
４ｄ  指差しこみ部
５ｄ  折り返し部
６ｄ  人差し指の断面
１ｅ  貼付物
２ｅ  台紙
３ｅ  折り返し部
４ｅ  指差しこみ部
５ｅ  人差し指の断面
６ｅ  中指の断面
７ｅ  薬指の断面
１ｆ  貼付物
２ｆ  台紙
３ｆ  折り返し部
４ｆ  指差しこみ部
５ｆ  人差し指の断面
６ｆ  中指の断面
７ｆ  薬指の断面
１ｇ  貼付物
２ｇ  台紙
３ｇ  取手部
４ｇ  指差しこみ部
５ｇ  折り返し部
６ｇ  中指の断面
【図１】
2004283535.tif 000003
【図２】
2004283535.tif 000004
【図３】
2004283535.tif 000005
【図４】
2004283535.tif 000006
【図５】
2004283535.tif 000007
【図６】
2004283535.tif 000008
【図７】
2004283535.tif 000009
【図８】
2004283535.tif 000010
【図９】
2004283535.tif 000011
【図１０】
2004283535.tif 000012
【図１１】
2004283535.tif 000013
【図１２】
2004283535.tif 000014
【図１３】
2004283535.tif 000015
【図１４】
2004283535.tif 000016
【図１５】
2004283535.tif 000017
【図１６】
2004283535.tif 000018
【図１７】
2004283535.tif 000019
【図１８】
2004283535.tif 000020
【図１９】
2004283535.tif 000021
【図２０】
2004283535.tif 000022
【図２１】
2004283535.tif 000023
【図２２】
2004283535.tif 000024
【図２３】
2004283535.tif 000025
【図２４】
2004283535.tif 000026
【図２５】
2004283535.tif 000027
【図２６】
2004283535.tif 000028
【図２７】
2004283535.tif 000029
【図２８】
2004283535.tif 000030
【図２９】
2004283535.tif 000031